(57)【要約】      （修正有）【課題】有色透明体を介して物体を見る場合に有色透明体の有する色が付加させずに物体固有の色彩にて見ることができる有色透明体の色補正方法を利用した、建材、化粧板等の構成体を提供する。【解決手段】光が入射可能な第１の面１２ａと光が出射可能な第２の面１２ｂとを有するガラス板からなる第１の部材１２と、第１の面１２ａと第２の面１２ｂの少なくともいずれか一方の面側に配され、光が透過可能かつ前記第１の部材１２がマゼンタ色の光透過層からなる第２の部材１４と、前記第２の面１２ｂ側に向けて配置され、少なくとも白色又は淡色の部分を有する第３の部材１６とを備えた構成体１０であって、前記第１の面１２ａから入射し前記第３の部材１６で反射された後の光が、再び前記第１の部材１２を透過して前記第１の面１２ａから出射されるように構成されることを特徴とする。【選択図】図１
0003135258.tif 000002
【実用新案登録請求の範囲】
【請求項１】
光が入射可能な第１の面と光が出射可能な第２の面とを有するソーダ石灰ガラス材のガラス板からなる第１の部材と、
前記第１の面と前記第２の面の少なくともいずれか一方の面側に配され、前記光が透過可能とされ、且つ前記第１の部材が前記光の透過により呈するＲＧＢ発光色のグリーン色に対する補色であるマゼンタ色の光透過層からなる第２の部材と、
前記第２の面側に向けて配置され、少なくとも白色又は淡色の部分を有する第３の部材とを備えた構成体であって、
前記第１の面から入射し前記第３の部材で反射された後の前記光が、再び前記第１の部材を透過して前記第１の面から出射されるように構成されることを特徴とする構成体。
【請求項２】
請求項１に記載の構成体であって、
前記光透過層は、アクリル系塗料又はウレタン系塗料の塗膜からなることを特徴とする構成体。
【請求項３】
請求項１に記載の構成体であって、
前記光透過層は、印刷によりインクを塗布してなることを特徴とする構成体。
【請求項４】
請求項１に記載の構成体であって、
前記光透過層は、フィルムからなることを特徴とする構成体。
【考案の詳細な説明】
【技術分野】
【０００１】
この考案は、有色透明体を介して物体を見る場合に、有色透明体の有する色を付加させずに物体固有の色彩で見ることができる光透過性の構成体に関する。
【背景技術】
【０００２】
一般に、ガラスをはじめとする透明体は、不純物を含有することによって、光が透過した場合に、特有の色を呈し、完全な無色透明でないことが一般的である。それら有色となった透明体（以下、有色透明体という）を介して物体を観察すると、物体が反射した光に有色透明体の色が付加された状態で観察者の視覚に到達するため、物体の色彩が異なって感じられる場合がある。
例えば、板ガラスでは、鉄等をはじめとする不純物が含有されているため、板ガラスに可視光線が透過すると板ガラスがグリーン色に着色されたように見え、その結果、観察者から見て板ガラスの反対側に置かれた物体や、板ガラスの裏面に塗布された塗膜や取付けられた装飾材等に板ガラスのグリーン色が着色された状態で視認される。
【０００３】
そこで、ガラス特有の色が付加されないようにガラスの向こう側に位置する物体を物体固有の色彩で観察するために、ガラスの色に影響を及ぼす鉄分等の含有量を極力抑制し製作された高透過ガラス（通称、ミュージアムガラス）などが提案されている（特許文献１参照）。
【特許文献１】特開２０００−１４３２８４号公報
【考案の開示】
【考案が解決しようとする課題】
【０００４】
しかしながら、上記の高透過ガラスは、その製造にかかる手間が非常に多大であり、その結果、製造コストも大きく非常に高価であるため、その用途は、博物館やショールームにおける展示等に限られ、一般的な建築材や生活用品に用いることは一般的でなかった。近年、蛍光灯照明が主流となり、白色や、淡色の装飾を板ガラス等の透明体で覆った建材や、洗面台、家具等に用いる化粧板では、透明体にわずかでも色が含まれていると、その色が付加して認識されるため、蛍光灯照明や太陽光のもとで使用しても有色透明体の有する色が付加されず、しかも安価で提供される建材や化粧板が望まれていた。
【０００５】
この考案は、かかる事情を考慮してなされたもので、有色透明体を介して物体を見る場合に有色透明体の有する色が付加させずに物体固有の色彩にて見ることができる有色透明体の色補正方法を利用した、建材、化粧板等の構成体を提供する。
【課題を解決するための手段】
【０００６】
請求項１に記載された考案は、光が入射可能な第１の面と光が出射可能な第２の面とを有するソーダ石灰ガラス材のガラス板からなる第１の部材と、前記第１の面と前記第２の面の少なくともいずれか一方の面側に配され、前記光が透過可能とされ、且つ前記第１の部材が前記光の透過により呈するＲＧＢ発光色のグリーン色に対する補色であるマゼンタ色の光透過層からなる第２の部材と、前記第２の面側に向けて配置され、少なくとも白色又は淡色の部分を有する第３の部材とを備えた構成体であって、前記第１の面から入射し前記第３の部材で反射された後の前記光が、再び前記第１の部材を透過して前記第１の面から出射されるように構成されることを特徴とする。
【０００７】
この考案に係る構成体によれば、ソーダ石灰ガラスからなるガラス板の、光が入射する第１の面と物体で反射した光が再入射する第２の面の少なくとも一方の面に、ソーダ石灰ガラスが呈するＲＧＢ発光色のグリーン色に対して、そのＲＧＢ発光色の補色（以下、補色という）であるマゼンタ色の光透過層からなる第２の部材が配置されているため、第１の面から入射した光が、ソーダ石灰ガラスと光透過層を通過することにより加色混合されて白色光（以下、白色光という）となり、第３の部材で反射されて再び第１の面から出射された光が視認される際に、第３の部材が有する白色又は淡色の部分にグリーン色が付加されることがない。
【０００８】
請求項２に記載された考案は、請求項１に記載の構成体であって、前記光透過層は、アクリル系塗料又はウレタン系塗料の塗膜からなることを特徴とする。
【０００９】
この考案に係る構成体によれば、光透過層がアクリル系塗料又はウレタン系塗料の塗膜から構成されているので、透過光が第１の部材にて呈するＲＧＢ発光色の補色を、容易かつ安価にて作製することができる。
又、第１の部材が呈するＲＧＢ発光色及び濃度に対して、色彩、膜厚を制御して、容易に色の補正が行なえ、耐久性も高い。
また、光透過層として、アクリル系塗料又はウレタン系塗料の塗膜を用いているので、生産が容易であり、製造原価を抑制することができる。
【００１０】
請求項３に記載された考案は、請求項１に記載の構成体であって、前記光透過層は、印刷によりインクを塗布してなることを特徴とする。
【００１１】
この考案に係る構成体によれば、光透過層が印刷によりインクを塗布して形成されているので、塗装が困難な樹脂層の形成も容易となり、第１の部材にて呈するＲＧＢ発光色の補色の光透過層を高い生産性にて容易かつ安価にて生産することができる。
又、塗装に比較して、多くの種類のインクが使用可能であり、色彩、膜厚、インク等を制御して、安定した品質の色の補正が行なえて、耐久性も高い。
【００１２】
請求項４に記載された考案は、請求項１に記載の構成体であって、前記光透過層は、フィルムからなることを特徴とする。
【００１３】
この考案に係る構成体によれば、光透過層がフィルムから構成されているので、容易かつ安価にて作製することができる。
又、第１の部材が呈するＲＧＢ発光色及び濃度に対して、フィルム単体での検査が可能となり、色彩、フィルム厚を制御して、容易に色の補正が行なうことができる。
【考案の効果】
【００１４】
本考案に係る構成体によれば、ソーダ石灰ガラスの板材の背面に少なくとも白色又は淡色の部分を備えた構成体において、表面側から白色又は淡色の部分を視認する場合に、ソーダ石灰ガラスのＲＧＢ発光色のグリーン色を付加させることなく白色又は淡色の部分を見ることができる。
【考案を実施するための最良の形態】
【００１５】
以下、図面を参照して、この考案の第１の実施形態について説明する。
図１は、この考案に係る構成体の第１の実施形態を示した図であり、符号１０はガラス化粧板（構成体）である。
ガラス化粧板１０は、板ガラス（第１の部材）１２と、光透過層としての塗装膜（第２の部材）１４と、光を反射可能な塗装膜からなる装飾体（第３の部材）１６とを備えている。また、板ガラス１２は、光Ｌ１が板ガラス１２に入射する第１の面１２ａと、光Ｌ１が出射するとともに装飾体１６で反射された光Ｌ２が入射する第２の面１２ｂとを備えている。
【００１６】
板ガラス１２は、不純物として鉄を含有するソーダ石灰ガラス材（有色透明体）から構成され、概ね４６０ｎｍ〜５７０ｎｍの波長の光を透過させ、それ以外の範囲の波長の光を吸収する性質を有するとともに、概ね２ｍｍ以上１２ｍｍ以下の所定の厚みを有し、可視光線Ｌ１が透過した場合にＲＧＢ発光色のグリーン色を呈するようになっている。
装飾体１６は、板ガラス１２の第２の面側に、白色又は淡色を含む装飾（図柄がなく色彩のみでもよい）が塗装により塗装層として設けられている。ここで、淡色とは、ＪＩＳ（Ｚ８７２１）に記載の「三属性による色の表示方法」による明度が、概ね８以上１０以下のものを意味している。
【００１７】
塗装膜１４は、板ガラス１２の第２の面１２ａに形成された光透過層を構成し、光Ｌ１、光Ｌ２が透過することによって、マゼンタ色を呈するようになっている。
また、塗装膜１４は、約２０μｍ以上５０μｍ以下の膜厚に形成されることが好適であり、膜厚が約２０μｍ以上とされることで、赤色系の塗料により安定したマゼンタ色を板ガラス１２上に形成させることができ、膜厚５０μｍ以下とすることによって光Ｌ１、Ｌ２の明るさの減衰が実用的レベルに保持され、光Ｌ１が透過可能なマゼンタ色を形成することができる。
【００１８】
光透過層としての塗装膜１４によって呈されるマゼンタ色は、第１の部材１２が透過光Ｌ１、Ｌ２によって呈するＲＧＢ発光色におけるグリーン色に対しての補色であり、概ね４６０ｎｍ〜５７０ｎｍの波長の光を吸収するようになっており、光Ｌ１、Ｌ２がグリーン色を帯びた後にマゼンタ色の塗装膜１４を透過することによって、光Ｌ１、Ｌ２のグリーン色がマゼンタ色と加色混合されて、装飾体１６で反射された後の光Ｌ２が板ガラス１２の第１の面１２ａから出射した際に白色となる。
【００１９】
また、板ガラス１２を透過した光Ｌ１は塗装膜１４を一度通過し、その後、装飾体１６で反射された後、再び塗装膜１４と、板ガラス１２とを一度ずつ通過するため、マゼンタ色で構成される塗装膜１４は、板ガラス１２の濃度及び厚みに対応した濃度を持たせることが好ましい。
有色透明体としての板ガラス１２がＲＧＢ発光色のグリーン色を呈する場合について説明したが、板ガラス１２が他のＲＧＢ発光色を呈する場合に、その補色を用いて色消し等の補正をしてもよい。例えば、赤系統を呈する板ガラスの場合に補色としてシアン色を用い、或いはイェロー色を呈する板ガラスに対して補色として青色等を用いることができる。
【００２０】
次に、ガラス化粧板１０の作用について説明する。
ガラス化粧板１０には、図１に示すように、ガラス化粧板１０の表面側から入射してきた可視光線Ｌ１が、板ガラス１２の第１の面１２ａから入射し、板ガラス１２の内部を通過し、塗装膜１４を通過した後に装飾体１６の表面に達する。
装飾体１６に達した光Ｌ１は、板ガラス１２と塗装膜１４を通過する過程で混合され、ＲＧＢ発光色が加色混合されて、ほぼ白色の光となる。
【００２１】
光学的には、装飾体１６に達した可視光線は、装飾体１６に到達する過程で、板ガラス１２の色以外の波長の光Ｌ１を吸収して、塗装膜１４に到達する際には、概ね４６０ｎｍ〜５７０ｎｍの波長からなるグリーン色の可視光線が到達し、その後、塗装膜１４によって、概ね４６０ｎｍ〜５７０ｎｍの波長のグリーン色の可視光線が吸収され、装飾体１６には、ほぼ白色の光が到達することとなる。
【００２２】
装飾体１６の表面で反射された光Ｌ２は、再び塗装膜１４を通過して、塗装膜１４にて概ね４６０ｎｍ〜５７０ｎｍの波長の光が吸収されて、残余の波長から構成されるマゼンタ色の光Ｌ２が板ガラス１２の第２の面１２ｂから入射し、板ガラス１２の内部を通過する。
板ガラス１２内部を通過したマゼンタ色の光Ｌ２は、板ガラス１２の内部で概ね４６０ｎｍ〜５７０ｎｍの波長の範囲外の光が吸収されて、板ガラス１２の第１の面１２ａから出射されるときには白色光となる。
【００２３】
その結果、板ガラス１２のグリーン色を付加させることなく装飾体１６の色を、ほぼそのまま視覚に到達させることができる。
この考案によれば、簡単な構成によって、板ガラス１２のＲＧＢ発光色を色消し補正して、白色又は淡色の装飾体１６が、そのままの色で視認可能なガラス化粧板１０を得ることができる。
なお、この実施の形態では、ガラス化粧板１０の端面に近づくにつれて、板ガラス１２の厚みが徐々に薄くなる部分が設けられており、その部分において、塗装膜の膜厚を変化させて全面を同じ濃度に維持させ、又は、その部分の膜厚を維持して、周辺部にグラデーションを形成させてもよい。
【００２４】
次に、このガラス化粧板１０の製造方法について説明する。
まず、板ガラス１２の表面に付着した油分、塵埃等を脱脂材により除去する。
脱脂材としては、アルコールであれば使用可能であるが、純度９９％以上のイソプロピルアルコールが好適である。
板ガラス１２の背面（第２の面）に、ウレタン系塗料又はアクリル系塗料を静電塗装によって塗装して塗膜を形成し、乾燥させる。
板ガラス１２の材料がソーダ石灰ガラスの場合には、マゼンタ色の光透過層を形成するために、乾燥後に膜厚が約２０μｍ以上５０μｍ以下となるように、赤色系の塗装膜１４を塗装により形成する。
【００２５】
塗料としては、ウレタン系又はアクリル系の顔料塗料を用いる。
塗装膜１４の形成するためのウレタン系塗料としては、ウレタン系クリア塗料＋３重量％プライマー２００ｇと、硬化剤（例えばイソシアネート）１００ｇと、シンナー１００ｇとを配合した塗料４００ｇに対して、赤色系ウレタン系顔料ステインを配合し、赤色系ウレタン系顔料ステインの配合量は、板ガラス１２の厚みに応じて、板厚３ｍｍでは、０．３ｇ以上０．６ｇ以下、５ｍｍでは、０．５以上１．０ｇ以下、８ｍｍでは、０．８ｇ以上１．６ｇ以下、１２ｍｍでは、１．２ｇ以上２．４ｇ以下が好適である。
上記、ウレタン系クリア塗料と赤色ウレタン系顔料ステインに代えて、アクリル系クリア塗料と赤色アクリル系顔料ステインとを配合し、アクリル系塗料を用いてもよい。
塗装膜１４は、静電塗装工程を用いた塗装法により、例えば、１ｍ以上３ｍ以下のコンベア送り速度において、ベル式ターボベル回転数１３０００ｒｐｍ以上３００００ｒｐｍ以下、２００ｇ／分以上５００ｇ／分以下（塗料吐出量５５ｇ／ｍ２以上６５ｇ／ｍ２以下）の条件で塗布する。
【００２６】
塗装した板ガラス１２は、自然乾燥の場合は、例えば、２０℃×６時間、乾燥炉を使用する場合には、６０℃×０．５時間の条件で乾燥する。
その後、装飾体１６を構成する白色又は淡色の部分を有する塗装層を塗装によって形成し、乾燥させる。
装飾体１６を構成する塗装層の形成に用いる塗料は、ウレタン系塗料又はアクリル系塗料のほか、塗装膜１４を侵食せず、塗装可能な塗料であれば特に制限はない。
なお、塗装膜１４の塗装方法については、上記の静電塗装に限らず、一般のスプレーノズルによる吹きつけ塗装やカーテンフローコーター等、実用的な他の方法によって塗装してもよい。
【００２７】
かかる製造方法によれば、ガラス化粧板１０を簡単な設備で、容易且つ安価にて製造することができる。
また、塗装膜１４の膜厚や色彩を容易に制御、変化させることができるので、板ガラス１２の色彩、濃度の種類、厚さに応じて、幅広く対応することができる。
なお、装飾体１６として、塗装層１６に代えて、板状の装飾部材をネジや接着剤等の機械的方法を用いて取付けてもよい。
【００２８】
次に、この考案に係る第２の実施形態について説明する。
図２は、この考案に係る構成体の第２の実施形態を示す図であり、符号２０は、花瓶等の容器（構成体）を、符号２６は、装飾体を示す。
容器２０は、開口部側が拡径するように構成され、容器２０の外周側に位置する外側ガラス部材（第１の部材）２２と、容器２０の内周側に位置する内側ガラス部材（第１の部材）２８と、光透過層（第２の部材）２４と、装飾体（第３の部材）２６とを備えている。
【００２９】
外側ガラス部材２２は、容器２０の外部に位置する光源からに光Ｌ１が入射する第１の面２２ａと、装飾体２６の外側の面２６ａで反射された光Ｌ２が入射する側の第２の面２２ｂとを備えており、ガラス部材２２の装飾体２６側に位置する第２の面２２ｂに光透過層としての塗装膜２４ａが形成されている。
【００３０】
内側ガラス部材２８は、容器２０の外部に位置する光源からに光Ｌ１が入射する第１の面２８ａと、装飾体２６の内側の面２６ｂで反射された光Ｌ２が入射する側の第２の面２８ｂとを備えており、ガラス部材２８の装飾体２６側に位置する第２の面２８ｂに光透過層としての塗装膜２４ｂが形成されている。
【００３１】
装飾体２６は、外側ガラス部材２２と、内側ガラス部材２８との間に配置され、装飾体２６の外側の面２６ａに配された装飾は外側ガラス部材２２を介して視認可能とされ、装飾体２６の内側の面２６ｂに配された装飾は内側ガラス部材２８を介して視認可能とされている。
その他の部分に関しては、第１の実施の形態と同様であるので説明を省略する。
【００３２】
この実施の形態の容器２０によれば、ガラス部材２２、２４をソーダ石灰ガラス等を材料とした場合であっても、内部の装飾体２６の外側の面２６ａ及び内側の面２６ｂに配された装飾等を、ガラス部材２２、２８の色を付加させることなく視認することができる。
【００３３】
次いで、この考案の第３の実施形態について説明する。
図３示すのは、この考案に係る方法及び光透過部材を使用したショウケースを示す図であり、符号３０はショウケースを、符号３１は、光透過部材を示している。
光透過部材は、板ガラス（第１の部材）３２と、光透過層としてのＲＧＢ色補正板（第２の部材）３４とを備えている。
また、板ガラス３２は、光Ｌ１が入射する第１の面３２ａと、その背面となる第２の面３２ｂとを備えており、第１の面側に位置する視覚から見て、板ガラス３２と、補正板３４とを挟んで、第２の面３２ｂ側に、物体（第３の部材）３６が配置されている。
【００３４】
それぞれの板ガラス３２、物体３４、ＲＧＢ補正板３６の間相互に空間が存在する以外は、第１の実施の形態と同様であり、説明を省略する。
この実施の形態によれば、高透過ガラスを用いることなく有色透明体であるソーダ石灰ガラスによって、グリーン色が付加されることなく物体３６を視認可能なショーケース３０を、容易な構成により且つ安価にて提供することができる。
なお、この実施の形態において、板ガラス３２と、色補正板３４との間には空間がある場合について説明したが、空間がなく密着していてもよいし、第２の部材３４が塗装膜として第１の部材３２に形成されていてもよい。
【００３５】
なお、上記の実施形態においては、有色透明体としてグリーン色を呈すソーダ石灰ガラスを材料とした場合について説明したが、第１の部材（板ガラス１２、外側ガラス部材２２、内側ガラス部材２８、板ガラス３２）の構成材料については、ソーダ石灰ガラス以外の、例えば、紫色、黄色、赤色、青色等に着色されたガラスを適用してもよく、また、ガラス以外の、アクリル樹脂、ウレタン樹脂等、光を透過する材料に対しても適用可能である。
【００３６】
また、上記第２のの面１２ｂに代えて、第１の面１２ａに光透過層１４を形成してもよく、第１の面１２ａと、第２の面１２ｂの双方に光透過層１４を形成させてもよい。
また、第３の部材として、第１の実施の形態では、塗装により構成された装飾体１６について説明したが、第１の部材１２に対して、光透過層１４を介して貼り付けられ又は取付けられた、例えば、板状の白色又は淡色を含む装飾体など物体であってもよく、第２、第３の実施の形態においては第３の部材が物体としての装飾体２６、３６の場合について説明したが、これが塗装膜によって形成されていてもよい。
【００３７】
また、化粧板１０の場合について説明したが、化粧板には、建材、家具や水回り品等の化粧板を含むことはいうまでもなく、容器２０、ショーケース３０以外の装飾品に対して適用してもよい。
なお、板ガラス３２とＲＧＢ色補正板３６とは、互いに密着した状態とされてもよく、上記実施の形態において、第１の部材３２及び第２の部材３４に関しては、板状のものとして説明したが、曲面を有したものであってもよい。
また、上記実施の形態においては、第１の部材（板ガラス１２、外側ガラス部材２２、内側ガラス部材２８、板ガラス３２）をそれぞれ１枚用いた場合について説明したが、複数の第１の部材（板ガラス１２、外側ガラス部材２２、内側ガラス部材２８、板ガラス３２）を用いてもよい。
【００３８】
また、複数の第１の部材（板ガラス１２、外側ガラス部材２２、内側ガラス部材２８、板ガラス３２）を用いる場合には、複数の第１の部材（板ガラス１２、外側ガラス部材２２、内側ガラス部材２８、板ガラス３２）を重ね合わせた状態にて加色混合された色が補色を構成するように、それぞれの第１の部材（板ガラス１２、外側ガラス部材２２、内側ガラス部材２８、板ガラス３２）に補色を分解した形で形成させてもよい。
【００３９】
塗装膜１４、２４、３４については、顔料系塗料であるアクリル系塗料又はウレタン系塗料を塗布する場合について説明したが、第１の部材（板ガラス１２、外側ガラス部材２２、内側ガラス部材２８、板ガラス３２）に塗装可能な他の塗料を使用してもよく、色消し機能がある材料をＰＶＤ、又はＣＶＤによって、第１の部材（板ガラス１２、外側ガラス部材２２、内側ガラス部材２８、板ガラス３２）の表面に形成させてもよい。
【００４０】
また、上記補色を呈する光透過層１４を、塗装膜に代えて、印刷によって第１の部材の表面にインクを塗布し、又は、第１の部材１２のいずれかの面に貼着したフィルムによって構成してもよい。
この場合、印刷方法としては、シルクスクリーン方や、凹版、凸版、グラビア印刷をはじめとする一般的に用いられる印刷法を用いることができ、インクとしては、アクリル系、ウレタン系、エポキシ系やそれ以外のものも用いることができ、さらに、顔料系、染料系のいずれのインクであってもよく、また、インク塗膜の形態としては、網点の集合でも、全面に一様にインクの塗布層が形成されたものであってもよい。
【００４１】
また、フィルムとしては、ポリエステルフィルム、塩化ビニルフィルム、ポリオレフィン系フィルムの他、一般的に透過性があるフィルムを用いることができ、補色については、表面に着色層を設ける場合に他、フィルム自体を染色して使用してもよい。
これら、印刷又はインクを用いて光透過層１４を形成する場合の補色については、ソーダ石灰ガラスにより形成された第１の部材１２の呈するグリーン色の色彩や濃度に合せることができる。
また、この考案は、通常の可視光線に限られることなく、ナトリウム灯などをはじめとする単色光に対しても、適用することができる。
【図面の簡単な説明】
【００４２】
【図１】本考案の第１の実施形態に係るガラス化粧板を示す図である。
【図２】本考案の第２の実施形態に係る容器を示す図である。
【図３】本考案の第３の実施形態に係るショウケースに適用した場合を示す図である。
【符号の説明】
【００４３】
１０    ガラス化粧板（構成体）
１２    板ガラス（第１の部材）
１２ａ、２２ａ、２８ａ、３２ａ    第１の面
１２ｂ、２２ｂ、２８ｂ、３２ｂ    第２の面
１６、２６    装飾体（物体、第３の部材）
１４、２４、２４ａ、２４ｂ、３４    塗装膜（第２の部材、光透過層）
２０  容器（構成体）
２２、２８  ガラス部材（第１の部材）
３０  ショーケース（構成体）
３１  光透過部材
３２  板ガラス（第１の部材）
３４  色補正板（第２の部材９
３６  物体（第３の部材）
【図１】
0003135258.tif 000003
【図２】
0003135258.tif 000004
【図３】
0003135258.tif 000005